(57)【特許請求の範囲】
【請求項１】
第１のパネル状部材（１）及び第２のパネル状部材（２）を間口方向または奥行方向に配列して成る浴室の天井構造であって、第１のパネル状部材（１）の天井面としての板面の基準高さが、第２のパネル状部材（２）の天井面としての板面の基準高さよりも低く設定され、かつ、前記配列方向の壁（６）から離間した第２のパネル状部材（２）の端部（２２）は、下方に向けて折曲されると共に、第１のパネル状部材（１）の上面側に位置させられ、しかも、第１のパネル状部材（１）の上面に対してシール材（５）を介して接続されていることを特徴とする浴室の天井構造。
【請求項２】
第２のパネル状部材（２）の下面側に位置する第１のパネル状部材（１）の端部（１２）は、第２のパネル状部材（２）の天井面としての板面との間に一定の隙間を形成する状態で上方に向けて折曲されている請求項１に記載の浴室の天井構造。
【請求項３】
第１のパネル状部材（１）の上方に向けて折曲された端部（１２）と第２のパネル状部材（２）の下方に向けて折曲された端部（２２）とによって構成された空間に換気扇（４）が設けられている請求項２に記載の浴室の天井構造。
【請求項４】
第１のパネル状部材（１）の上方に向けて折曲された端部（１２）と第２のパネル状部材（２）の下方に向けて折曲された端部（２２）とによって構成された空間に照明器具（３）が設けられている請求項２又は３の何れかに記載の浴室の天井構造。
【発明の詳細な説明】
【０００１】
【産業上の利用分野】
本発明は、浴室の天井構造に関するものであり、詳しくは、浴室の大きさに応じて一方向の長さを任意に調整できる浴室の天井構造に関するものである。
【０００２】
【従来の技術】
ユニットバス等の簡易施工型の浴室においては、パネル化された部材を使用して天井が構成される。図３は、ユニットバス等に適用される従来の浴室の天井構造を示す縦断面図である。従来の天井構造は、図３（ａ）に示す様に、浴室の施工時に取扱を容易にするため、浴室に搬入可能な２つのパネル状部材（８１）及び（８２ａ）を一方向に配列し、これらの各端部を突き合わせて構成される。パネル状部材（８１）及び（８２ａ）の３周縁部は、周囲の壁（６）の上端縁に掛止され、突き合わせた各端部は、シール材（５）を介して気密に接続される。
【０００３】
また、パネル状部材（８１）の板面の基準高さがパネル状部材（８２ａ）の基準高さよりも低く設定され、パネル状部材（８１）の端部が立ち上げられることにより、斯かる立上げ部分には、照明器具（３）及び間接照明を構成するための半密閉の照明カバー（３）が取り付けられる。そして、天井面としての板面には、室内の除湿に必要な換気扇（４）が取り付けられる。
【０００４】
上記の天井構造は、間口方向または奥行方向の長さの異なる浴室に対して施工する場合、器具が取り付けられない方のパネル状部材（８２ａ）を交換することにより、照明器具（３）や換気扇（４）が取り付けられるパネル状部材（８１）を共通部材として使用できる。すなわち、図３（ｂ）に示す様に、一方向が更に長くなされた浴室に対しては、上記パネル状部材（８２ａ）に代え、より長い規格のパネル状部材（８２ｂ）を使用することにより、同一規格のパネル状部材（８１）を共通部品として使用できる。
【０００５】
【発明が解決しようとする課題】
ところで、昨今のユニットバスは、室内レイアウトの多様化と共に、種々の大きさに設計される。従って、上記の天井構造においては、器具が取り付けられない方の交換側のパネル状部材（８２ａ）を準備するとしても、ユニットバスの形態に応じて多数必要となり、実際、省部品化による効用がさほど得られない。
【０００６】
また、２つのパネル状部材（８１）及び（８２ａ）の突き合わせた各端部は、垂直方向の目地を構成するため、気密性を確保するのが難しく、天井裏への水蒸気の漏れが多く発生する。更に、共通部品としてのパネル状部材（８１）に取り付けられた換気扇（４）は、浴室側に吸気口が直接露出しているため、浴室内においては、換気扇（４）を稼働させた場合、体感されるほどの空気流や不快な駆動音が発生する。しかも、換気扇（４）は、排気ダクトの接続の関係から、パネル状部材（８１）を設置した後に取り付けるが、その取付においては、パネル状部材（８１）の裏側の奥まった空間で施工しなければならない。
【０００７】
本発明は、上記の実情に鑑みてなされたものであり、その目的は、２つのパネル状部材を間口方向または奥行方向に沿って配列して成る浴室の天井構造であって、浴室の大きさに応じて一方向の長さを任意に調整でき、しかも、２つのパネル状部材の継ぎ目における気密性を向上させ得る浴室の天井構造を提供することにある。また、本発明の他の目的は、斯かる天井構造において、換気扇などの付属機器を浴室側に露出させることなく、簡単に取り付けることが出来る浴室の天井構造を提供することにある。
【０００８】
【課題を解決するための手段】
上記の課題を解決するため、本発明に係る浴室の天井構造は、第１のパネル状部材および第２のパネル状部材を間口方向または奥行方向に配列して成る浴室の天井構造であって、前記第１のパネル状部材の天井面としての板面の基準高さが、前記第２のパネル状部材の天井面としての板面の基準高さよりも低く設定され、かつ、前記配列方向の壁から離間した前記第２のパネル状部材の端部は、下方に向けて折曲されると共に、前記第１のパネル状部材の上面側に位置させられ、しかも、前記第１のパネル状部材の上面に対してシール材を介して接続されていることを特徴とする。
【０００９】
上記の天井構造において、第１のパネル状部材と第２のパネル状部材の各基準高さが異なり且つ下方に向けて折曲された第２のパネル状部材の端部が第１のパネル状部材の上面側に位置する重なり構造は、浴室の間口方向または奥行方向の長さの相違に応じた施工を可能にする。また、第２のパネル状部材の端部が第１のパネル状部材の上面に対してシール材を介して接続された構造は、水平方向の目地を止水した構造であり、優れた気密性を発揮する。
【００１０】
また、上記の態様においては、換気扇や照明器具などを浴室側に露出させることなく設置するため、第２のパネル状部材の下面側に位置する第１のパネル状部材の端部は、前記第２のパネル状部材の天井面としての板面との間に一定の隙間を形成する状態で上方に向けて折曲されているのが好ましい。すなわち、第１のパネル状部材と第２のパネル状部材の高さの異なる重なり構造および第１のパネル状部材の端部の特定形状は、第１のパネル状部材の上面側であって且つ第２のパネル状部材の端部と第１のパネル状部材の端部との間に機器設置用の空間を構成できる。
【００１１】
【発明の実施の形態】
本発明に係る浴室の天井構造の一実施形態を図面に基づいて説明する。図１は、本発明に係る浴室の天井構造を示す縦断面図である。図２は、図１におけるＡ−Ａ線およびＢ−Ｂ線に沿って示した一部破断の縦断面図である。
【００１２】
本発明に係る浴室の天井構造は、通常、ユニットバス等の簡易施工型の浴室に適用される天井構造であって、図１（ａ）に示す様に、第１のパネル状部材（１）及び第２のパネル状部材（２）を浴室の間口方向または奥行方向（一方向）に配列して構成される。第１のパネル状部材（１）及び第２のパネル状部材（２）は、樹脂成形品、樹脂と金属の複合板の加工品、金属薄板の加工品として略方形の平面形状に予め成形された部材である。
【００１３】
第１のパネル状部材（１）及び第２のパネル状部材（２）は、各々、浴室の壁（６）に取り付けるための係止部（１１）及び（１２）を３周縁部に備えている。係止部（１１）及び（２１）は、パネル状部材（１）及び（２）の板面を下方に向けて凸状に折返した形状を有し、かつ、その先端は、フランジ状に水平に張出される。
【００１４】
すなわち、第１のパネル状部材（１）及び第２のパネル状部材（２）は、凸状の折返し部分を浴室の壁（６）の内側に落とし込み、かつ、壁（６）の上端縁にフランジ状の張出部分を載せることにより、壁（６）の上端縁に掛止できる（図１（ａ）及び図２参照）。上記の係止部（１１）及び（２１）により、意匠的に優れた目地を構成でき且つ壁（６）の裏側に対する止水効果を高め得る。なお、壁（６）の上端縁は、シール材（図示省略）を使用して防水処理される。
【００１５】
本発明においては、第１のパネル状部材（１）と第２のパネル状部材（２）を特定の構造によって接続する目的から、第１のパネル状部材（１）の天井面としての板面の基準高さは、第２のパネル状部材（２）の天井面としての板面の基準高さよりも低く設定される。壁（６）の上端（又は洗い場の床面）を基準とすると、例えば、パネル状部材（１）の板面の基準高さは、壁（６）の上端の高さと略同等か又は低くなされ、パネル状部材（２）の板面の基準高さは、壁（６）の上端の高さよりも高くなされる。パネル状部材（１）と（２）の基準高さの差は、後述する照明器具（３）や換気扇（４）を設置できる程度の大きさに設定される。
【００１６】
しかも、浴室の一方向の長さに自在に対応させ、かつ、第１のパネル状部材（１）と第２のパネル状部材（２）の継ぎ目における気密性を向上させるため、上記の配列方向の壁（６）から離間した第２のパネル状部材（２）の端部（２２）は、下方に向けて折曲されると共に、第１のパネル状部材（１）の上面側に位置させられ、しかも、第１のパネル状部材（１）の上面に対し、シール材（５）を介して接続される。
【００１７】
また、本発明においては、必要な付属機器を浴室側に露出させることなく設置するため、第２のパネル状部材（２）の下面側に位置する第１のパネル状部材（１）の端部（１２）は、第２のパネル状部材（２）の天井面としての板面との間に一定の隙間を形成する状態で上方に向けて折曲される。すなわち、本発明の天井構造においては、第１のパネル状部材（１）の上面側（裏面側）であって且つ第２のパネル状部材（２）の端部（２２）と第１のパネル状部材（１）の端部（１２）との間に機器設置用の空間が構成される。
【００１８】
更に、本発明においては、上記の機器設置用の空間に換気扇（４）が設けられる。具体的には、換気扇（４）は、施工性を高め且つ天井裏のより大きな空間部を利用する観点から、図１（ａ）及び図２に示す様に、第２のパネル状部材（２）の下方に折曲された端部（２２）、すなわち、第１のパネル状部材（１）の上面側に位置する第２のパネル状部材（２）の立ち下がり部分に取り付けられる。
【００１９】
また、本発明においては、上記の機器設置用の空間に照明器具（３）が設けられる。具体的には、照明器具（３）は、施工性を高め且つ間接照明を構成するため、図１（ａ）及び図２に示す様に、第２のパネル状部材（２）の上記の立ち下がり部分に取り付けられる。
【００２０】
本発明に係る天井構造の施工においては、先ず、係止部（２１）を利用し、第２のパネル状部材（２）を壁（６）の上端に仮置きした後、第２のパネル状部材（２）の端部（２２）と壁（６）の隙間を利用し、第２のパネル状部材（２）の立ち下がった端部（２２）に換気扇（４）及び照明器具（３）を取り付け、更に、端部（２２）の下縁に予めシール材（５）を布設する。
【００２１】
次いで、第２のパネル状部材（２）を一時的に若干持ち上げ、第１のパネル状部材（１）の３周縁部を差し込む様にして、壁（６）の上端に第１のパネル状部材（１）を載せ、係止部（１１）を利用して掛止する。その結果、第２のパネル状部材（２）の３周縁部を第１のパネル状部材（１）の３周縁部の上に重ね合せた状態に施工でき、第１のパネル状部材（１）の上方に第２のパネル状部材（２）を配置できる。そして、第１のパネル状部材（１）及び第２のパネル状部材（２）と壁（６）の上端との取合い部分をシールする。
【００２２】
本発明の天井構造は、図１（ｂ）に示す様に、例えば一方向の長さが長い浴室に施工する場合においても、図１（ａ）に示す第１のパネル状部材（１）及び第２のパネル状部材（２）そのまま使用し、同様に施工できる。すなわち、本発明の天井構造において、第１のパネル状部材（１）と第２のパネル状部材（２）の各基準高さが異なり且つ下方に向けて折曲された第２のパネル状部材（２）の端部（２２）が第１のパネル状部材（１）の上面側に位置する重なり構造は、浴室の間口方向または奥行方向の長さの相違に応じた施工を可能にする。従って、本発明の天井構造においては、浴室の大きさに応じて少なくとも一方向の長さを任意に調整できる。
【００２３】
また、本発明の天井構造において、第２のパネル状部材（２）の端部（２２）が第１のパネル状部材（１）の上面に対してシール材（５）を介して接続された構造は、水平方向の目地を止水した構造であり、優れた気密性を発揮する。従って、本発明の天井構造においては、２つのパネル状部材（１）及び（２）の継ぎ目における気密性を一層向上させ得る。
【００２４】
更に、本発明の天井構造は、上記の様に、第２のパネル状部材（２）を配置した後、壁（６）との隙間を利用し、直近の第２のパネル状部材（２）の端部（２２）に換気扇（４）及び照明器具（３）を取り付けるため、施工が極めて簡単である。
【００２５】
また、本発明の天井構造において、第１のパネル状部材（１）と第２のパネル状部材（２）の高さの異なる重なり構造および第１のパネル状部材（１）の端部（１２）の特定の形状は、第１のパネル状部材（１）の上面側であって且つ第２のパネル状部材（２）の下方に折曲された端部（２２）と第１のパネル状部材（１）の上方に折曲された端部（１２）との間に機器設置用の空間を構成でき、換気扇（４）や照明器具（３）を浴室側に露出させることなく設置できる。
【００２６】
そして、上記の機器設置用の空間に換気扇（４）や照明器具（３）が設置された構造は、第１のパネル状部材（１）の端部（１２）と第２のパネル状部材（２）の板面との間に隙間が形成されており、換気扇（４）を稼働させた際、浴室の空気を円滑に換気できる。しかも、機器設置用の空間を介在させるため、従来の換気扇の配置構造の様な不快な空気流や駆動音を浴室側に発生させることがない。また、従来の様な照明カバー等を使用することなく、上記の隙間を通じ、照明器具（３）によって浴室を間接照明できる。
【００２７】
【発明の効果】
以上説明した様に、本発明に係る浴室の天井構造によれば、第１のパネル状部材と第２のパネル状部材の特定の重なり構造により、パネル状部材を取り換えることなく、浴室の大きさに応じて間口方向または奥行方向の長さを任意に調整でき、かつ、２つのパネル状部材の継ぎ目における気密性を向上させ得る。更に、壁との隙間を利用し、最初に配置した第２のパネル状部材の直近の端部に対し、機器を取り付けるため、施工が極めて簡単である。
【００２８】
また、第１のパネル状部材の端部が特定の形態に折曲された態様の浴室の天井構造によれば、第２のパネル状部材の端部と第１のパネル状部材の端部との間に機器設置用の空間を構成でき、換気扇などの付属機器を浴室側に露出させることなく、簡単に取り付けることが出来る。
【図面の簡単な説明】
【図１】本発明に係る浴室の天井構造を示す縦断面図
【図２】図１におけるＡ−Ａ線およびＢ−Ｂ線に沿って示した一部破断の縦断面図
【図３】ユニットバス等に適用される従来の浴室の天井構造を示す縦断面図
【符号の説明】
１  ：第１のパネル状部材
１２：第１のパネル状部材の端部
２  ：第２のパネル状部材
２２：第２のパネル状部材の端部
３  ：照明器具
４  ：換気扇
５  ：シール材
６  ：壁
【図１】
0004196463.tif 000002
【図２】
0004196463.tif 000003
【図３】
0004196463.tif 000004